(57)【要約】      （修正有）【課題】二つの押付けアームが本体の旋回時の支点となるため、本体が旋回時にずれることはなく、フック部はオイルシールを精確に引っ掛けることが可能となるオイルシール取外し工具を提供する。【解決手段】互いに連接する、ロッド２と、握り部３と、を備え、ロッド２の握り部３から離れた一端にフック部２１が設けられており、握り部３の径方向の寸法は、ロッド２の径方向の寸法より大きい本体１と、ロッド２にスライド可能に設けられており、二つの押付けアーム４１が設けられており、二つの押付けアーム４１は、それぞれロッド２の径方向の両側から伸びる支持部材４と、ロッド２と支持部材４との少なくとも一方に設けられており、支持部材４とロッド２とを選択的に固定することが可能な調整装置５と、を備える。【選択図】図１
0003216673.tif 000002
【実用新案登録請求の範囲】
【請求項１】
互いに連接する、ロッドと、握り部と、を備え、前記ロッドの前記握り部から離れた一端にフック部が設けられており、前記握り部の径方向の寸法は、前記ロッドの径方向の寸法より大きい本体と、
前記ロッドにスライド可能に設けられており、二つの押付けアームが設けられており、前記二つの押付けアームは、それぞれ前記ロッドの径方向の両側から伸びる支持部材と、
前記ロッドと前記支持部材との少なくとも一方に設けられており、前記支持部材と前記ロッドとを選択的に固定可能な調整装置と、
を備えることを特徴とするオイルシール取外し工具。
【請求項２】
前記フック部の径方向の寸法は、前記ロッドの径方向の寸法より小さいことを特徴とする、請求項１に記載のオイルシール取外し工具。
【請求項３】
前記二つの押付けアームは、丸棒状を呈することを特徴とする、請求項１に記載のオイルシール取外し工具。
【請求項４】
前記支持部材には、前記ロッドに挿通される穿孔が設けられていることを特徴とする、請求項１に記載のオイルシール取外し工具。
【請求項５】
前記調整装置は、前記ロッドに設けられている第１係り部と、前記支持部材に設けられている第２係り部と、を備え、前記第１係り部と前記第２係り部とは、選択的に互いに係止することが可能であることを特徴とする、請求項１に記載のオイルシール取外し工具。
【請求項６】
前記第１係り部と前記第２係り部とは、一方がロック部材であり、他方が複数の係止溝であることを特徴とする、請求項５に記載のオイルシール取外し工具。
【請求項７】
前記ロッドに屈折段が設けられており、前記屈折段の屈折方向は、前記フック部の屈折方向の反対方向と同じであり、前記第２係り部は、前記屈折段と前記フック部との間に設けられていることを特徴とする、請求項５に記載のオイルシール取外し工具。
【請求項８】
前記握り部はゴムまたは樹脂で構成され、前記ロッドは金属で構成され、前記支持部材は金属で構成されることを特徴とする、請求項１に記載のオイルシール取外し工具。
【請求項９】
前記フック部は先端を有し、前記先端は斜面を有し、前記斜面の傾斜方向は、前記フック部の屈折方向の反対方向と同じでることを特徴とする、請求項１に記載のオイルシール取外し工具。
【請求項１０】
前記二つの押付けアームは丸棒状を呈し、前記支持部材には、前記ロッドに挿通され可能な穿孔が設けられており、前記調整装置は、前記ロッドに設けられている第１係り部と、前記支持部材に設けられている第２係り部と、を備え、前記第１係り部と前記第２係り部とは、選択的に互いに係止することが可能であり、前記第１係り部と前記第２係り部とは、一方がロック部材であり、他方が複数の係止溝であり、前記ロッドに屈折段が設けられており、前記屈折段の屈折方向は、前記フック部の屈折方向の反対方向と同じであり、前記第２係り部は、前記屈折段と前記フック部との間に設けられており、前記握り部はゴムまたは樹脂で構成され、前記ロッドは金属で構成され、前記支持部材は金属で構成され、前記フック部は先端を有し、前記先端は斜面を有し、前記斜面の傾斜方向は、前記フック部の屈折方向の反対方向と同じであることを特徴とする、請求項２に記載のオイルシール取外し工具。
【考案の詳細な説明】
【技術分野】
【０００１】
本考案は、オイルシール取外し工具に関するものである。
【背景技術】
【０００２】
オイルシール取外し工具は、機械を修理するときに、部材（例えばオイルチューブまたは軸受け）の裏壁に設けられているオイルシールを取り外すためのものである。従来のオイルシール取外し工具は、本体がロッド状を呈することが一般的であり、本体の一端にフック部が設けられている。前記フック部を、当該部材の裏壁に差し込んで、オイルシールを引っ掛けて、前記本体の当該部材に押付ける端面を支点として、梃子原理を利用して前記本体を旋回することにより、フック部によりオイルシールを取外し可能である。例えば台湾特許Ｍ３６３３６９のオイルシール取外し工具が提案された。
【０００３】
しかし、一つだけの支点により前記本体を旋回すると、前記本体は、前記支点を中心として容易に旋回できないため、前記本体が軸心の軸方向の一側にずれやすい。これにより、前記フック部はオイルシールを精確に引っ掛けることができない。一方、このようなオイルシール取外し工具の本体は、当該部材の端面に押付けることにより支点を形成することが必要なため、前記本体をほぼ水平になるように傾斜しないと、梃子原理を利用して旋回することはできない。このため、作業環境が狭い場合には、前記本体が、制限されて、ほぼ水平になるように傾斜して、当該部材に押付けて支点を形成することができない。これにより、前記本体に対して力を加えることができず、オイルシールを順調に取り外すことができない。
【考案の概要】
【考案が解決しようとする課題】
【０００４】
本考案の主な目的は、本体が軸心の軸方向の一側にずれて、フック部がオイルシールを精確に引っ掛けることができないことを回避可能なオイルシール取外し工具を提供することにある。
【０００５】
本考案の次の目的は、本体を水平になるように傾斜しなくても、本体に対して力を加えて、オイルシールを順調に取り出し可能なオイルシール取外し工具を提供することにある。
【課題を解決するための手段】
【０００６】
本考案のオイルシール取外し工具によると、互いに連接する、ロッドと、握り部と、を備え、ロッドの握り部から離れた一端にフック部が設けられており、握り部の径方向の寸法は、ロッドの径方向の寸法より大きい本体と、ロッドにスライド可能に設けられており、二つの押付けアームが設けられており、二つの押付けアームは、それぞれロッドの径方向の両側から伸びる支持部材と、ロッドと支持部材との少なくとも一方に設けられており、支持部材とロッドとを選択的に固定可能な調整装置と、を備えることを特徴とする。
【０００７】
本考案のオイルシール取外し工具によると、フック部の径方向の寸法は、ロッドの径方向の寸法より小さいことを特徴とする。
【０００８】
本考案のオイルシール取外し工具によると、二つの押付けアームは、丸棒状を呈することを特徴とする。
【０００９】
本考案のオイルシール取外し工具によると、支持部材には、ロッドに挿通される穿孔が設けられていることを特徴とする。
【００１０】
本考案のオイルシール取外し工具によると、調整装置は、ロッドに設けられている第１係り部と、支持部材に設けられている第２係り部と、を備え、第１係り部と第２係り部とは、選択的に互いに係止することが可能であることを特徴とする。
【００１１】
本考案のオイルシール取外し工具によると、第１係り部と第２係り部とは、一方がロック部材であり、他方が複数の係止溝であることを特徴とする。
【００１２】
本考案のオイルシール取外し工具によると、ロッドに屈折段が設けられており、屈折段の屈折方向は、フック部の屈折方向の反対方向と同じであり、第２係り部は、屈折段とフック部との間に設けられていることを特徴とする。
【００１３】
本考案のオイルシール取外し工具によると、握り部はゴムまたは樹脂で構成され、ロッドは金属で構成され、支持部材は金属で構成されることを特徴とする。
【００１４】
本考案のオイルシール取外し工具によると、フック部は先端を有し、先端は斜面を有し、斜面の傾斜方向は、フック部の屈折方向の反対方向と同じでることを特徴とする。
【００１５】
本考案のオイルシール取外し工具によると、二つの押付けアームは丸棒状を呈し、支持部材には、ロッドに挿通され可能な穿孔が設けられており、調整装置は、ロッドに設けられている第１係り部と、支持部材に設けられている第２係り部と、を備え、第１係り部と第２係り部とは、選択的に互いに係止することが可能であり、第１係り部と第２係り部とは、一方がロック部材であり、他方が複数の係止溝であり、ロッドに屈折段が設けられており、屈折段の屈折方向は、フック部の屈折方向の反対方向と同じであり、第２係り部は、屈折段とフック部との間に設けられており、握り部はゴムまたは樹脂で構成され、ロッドは金属で構成され、支持部材は金属で構成され、フック部は先端を有し、先端は斜面を有し、斜面の傾斜方向は、フック部の屈折方向の反対方向と同じであることを特徴とする。
【考案の効果】
【００１６】
本考案のオイルシール取外し工具によれば、次のような効果がある。
（１）支持部材の二つの押付けアームをオイルチューブの端面に押し付けることにより、二つの押付けアームが本体の旋回時の支点となるため、旋回時に本体がずれることはなくなり、フック部はオイルシールを精確に引っ掛けることが可能となる。
【００１７】
（２）二つの押付けアームはロッドの径方向の両側から伸びるため、本体を水平になるように傾斜することが必要せず、二つの押付けアームは、オイルチューブの端面に押し付けて支点を形成することが可能である。このとき、本体の握り部に力を加えると、梃子原理によりフック部が旋回される。
【図面の簡単な説明】
【００１８】
【図１】図１は本考案の実施形態に係るオイルシール取外し工具を示す斜視図である。
【図２】図２は本考案の実施形態に係るオイルシール取外し工具を示す斜視図である。
【図３】図３は本考案の実施形態に係るオイルシール取外し工具を示す分解斜視図である。
【図４】図４は本考案の実施形態に係るオイルシール取外し工具の一部を示す断面図である。
【図５】図５は本考案の実施形態に係るオイルシール取外し工具の使用状態を示す図である。
【考案を実施するための形態】
【００１９】
以下、本考案の実施の形態を図面に基づいて説明する。
【００２０】
図１から図４を参照する。本実施形態に係るオイルシール取外し工具９１は、本体１と、支持部材４と、調整装置５と、を備える。
【００２１】
本体１は、互いに連接する、ロッド２と、握り部３と、を備える。ロッド２の握り部３から離れた一端にフック部２１が設けられている。握り部３の径方向の寸法は、ロッド２の径方向の寸法より大きい。これにより、ユーザは手で握り部３を握って力を加えることが可能である。
【００２２】
ロッド２にスライド可能に設けられている支持部材４には、押付けアーム４１が二つ設けられている。二つの押付けアーム４１は、それぞれロッド２の径方向の両側から伸びる。
【００２３】
調整装置５は、ロッド２と支持部材４との少なくとも一方に設けられており、支持部材４とロッド２とを選択的に固定することが可能である。
【００２４】
図５を参照する。操作時に、二つの押付けアーム４１はオイルチューブ９（別の実施形態では、カムシャフトでもよい）の端面に押し付けて、フック部２１はオイルチューブ９内にあるオイルシール９１を引っ掛けて、ユーザは手で握り部３を下方へ旋回することにより、フック部２１が握り部３に対して上方へ旋回する。これにより、フック部２１はオイルシール９１を取外することが可能である。二つの押付けアーム４１は丸棒状を呈することが好ましい。これにより、本体１は、二つの押付けアーム４１を支点として旋回することが可能である。支持部材４の二つの押付けアーム４１をオイルチューブ９の端面に押し付けることにより、二つの押付けアーム４１は、本体１を旋回するときの支点となるため、旋回時に、本体１は軸心６へずれにくくなり、フック部２１はオイルシール９１を精確に引っ掛けることが可能である。特に、二つの押付けアーム４１がロッド２の径方向の両側から伸びる構成によれば、本体１を水平になるように傾斜することが必要せず、二つの押付けアーム４１はオイルチューブ９の端面に押し付けて支点を形成することが可能である。これにより、本体１の握り部３に力を加えて、梃子原理によりフック部２１を旋回して、オイルシール９１を順調に取り出すことが可能である。
【００２５】
フック部２１は、その径方向の寸法がロッド２の径方向の寸法より小さいため、オイルチューブ９に差し込まれるときに干渉されない。
【００２６】
具体的には、支持部材４には、ロッド２に挿通される穿孔４２が設けられている。特に、握り部３の径方向の寸法はロッド２の径方向の寸法より大きいため、支持部材４がロッド２に対して自在にスライドするときに、握り部３が支持部材４に押し付けるため、支持部材４が本体１から離脱することを防止することが可能である。
【００２７】
また、調整装置５は、ロッド２に設けられている第１係り部５１と、支持部材４に設けられている第２係り部５２と、を備える。第１係り部５１と第２係り部５２とは、選択的に互いに係止することが可能である。第１係り部５１と第２係り部５２とは、一方がロック部材であり、他方が複数の係止溝である。本実施形態では、第２係り部５２がロック部材であり、第１係り部５１が複数の係止溝である。前記ロック部材を回転することにより、前記ロック部材を前記係止溝に係止することができる。ユーザは、オイルシール９１のオイルチューブ９に設置される深さに基づいて、支持部材４の本体１に対する位置を調整する。
【００２８】
本実施形態では、ロッド２に屈折段２２が設けられている。屈折段２２の屈折方向は、フック部２１の屈折方向の反対方向と同じであるため、フック部２１をオイルチューブ９に容易に差し込むことが可能である。第２係り部５２は、屈折段２２とフック部２１との間に設けられている。
【００２９】
握り部３は、ゴムまたは樹脂で構成されることが好ましい。これにより、握るときの快適度を増加することが可能である。ロッド２と支持部材４とは、金属で構成されることが好ましい。これにより、構造の強度を増加することが可能である。
【００３０】
フック部２１は先端２１１を有し、先端２１１は斜面２１２を有し、斜面２１２の傾斜方向がフック部２１の屈折方向の反対方向と同じであることが好ましい。これにより、フック部２１はオイルシール９１を容易に引っ掛けることが可能である。
【符号の説明】
【００３１】
１    本体
２    ロッド
３    握り部
４    支持部材
５    調整装置
６    軸心
９    オイルチューブ
２１    フック部
２２    屈折段
４１    押付けアーム
４２    穿孔
５１    第１係り部
５２    第２係り部
９１    オイルシール
２１１    先端
２１２    斜面
【図１】
0003216673.tif 000003
【図２】
0003216673.tif 000004
【図３】
0003216673.tif 000005
【図４】
0003216673.tif 000006
【図５】
0003216673.tif 000007